(57)【要約】【課題】頭部垂直落下の際の衝撃加速度を著しく大きくすることなく、内部収納物による遅れ落下衝撃に起因する反力を支持することができる衝撃吸収体を備えるキャスクを提供すること。【解決手段】放射性物質を収容する有底円筒形状のキャスク本体１と、キャスク本体１の上端部に設けられた開口を閉止する蓋体（２、３、４）と、キャスク本体１の上端部の周囲に取り付けられる環形状の主衝撃吸収体５と、主衝撃吸収体５の内側であって蓋体４（三次蓋４）の上面に取り付けられる、主衝撃吸収体５よりも潰れやすい柱形状の補助衝撃吸収体７と、を備えるキャスク１００である。補助衝撃吸収体７は、キャスクがその頭部から垂直落下した際に、主衝撃吸収体５とともに床面と衝突する高さ寸法とされている。【選択図】図１
2014145674.tif 000002
【特許請求の範囲】
【請求項１】
放射性物質を収容する有底円筒形状のキャスク本体と、
前記キャスク本体の上端部に設けられた開口を閉止する蓋体と、
前記キャスク本体の上端部の周囲に取り付けられる環形状の主衝撃吸収体と、
前記主衝撃吸収体の内側であって前記蓋体の上面に取り付けられる、前記主衝撃吸収体よりも潰れやすい柱形状または筒形状の補助衝撃吸収体と、
を備え、
前記補助衝撃吸収体は、キャスクがその頭部から垂直落下した際に、前記主衝撃吸収体とともに床面と衝突する高さ寸法とされている、キャスク。
【請求項２】
請求項１に記載のキャスクにおいて、
前記主衝撃吸収体と前記補助衝撃吸収体とは同じ材質であって、
前記主衝撃吸収体の軸方向と前記補助衝撃吸収体の軸方向とは同じ向きとされ、
前記補助衝撃吸収体の前記軸方向に直交する断面の面積が、前記主衝撃吸収体の前記軸方向に直交する断面の面積よりも小さくされていることで、前記補助衝撃吸収体は前記主衝撃吸収体よりも潰れやすくされている、キャスク。
【請求項３】
請求項１に記載のキャスクにおいて、
前記補助衝撃吸収体の材質が前記主衝撃吸収体の材質よりも圧縮強度が小さい材質とされていることで、前記補助衝撃吸収体は前記主衝撃吸収体よりも潰れやすくされている、キャスク。
【請求項４】
請求項１〜３のいずれかに記載のキャスクにおいて、
前記補助衝撃吸収体の先端部が面取りされている、キャスク。
【請求項５】
請求項１〜４のいずれかに記載のキャスクにおいて、
前記蓋体は、相互に重ねられる複数の蓋体で構成されており、
複数の前記蓋体のうち中性子遮蔽材が収容される蓋体は、キャスクがその頭部から垂直落下した際に、前記キャスク本体側から前記補助衝撃吸収体へ衝撃荷重を伝達させるための衝撃伝達部材を内部に有している、キャスク。
【請求項６】
請求項１〜５のいずれかに記載のキャスクにおいて、
前記蓋体は、相互に重ねられる複数の蓋体で構成されており、
重ねられた複数の前記蓋体同士の間の少なくとも１つの隙間には、不活性ガスが充填される空間が形成されており、
前記空間の両側に位置する前記蓋体のうちのいずれか一方は、キャスクがその頭部から垂直落下した際に、前記キャスク本体側から前記補助衝撃吸収体へ衝撃荷重を伝達させるため、他方に向かって凸の形状とされている、キャスク。
【請求項７】
請求項１〜６のいずれかに記載のキャスクにおいて、
前記補助衝撃吸収体の周囲に、当該補助衝撃吸収体が倒れることを防止する複数の補強部材が設置されており、
複数の前記補強部材は、前記補助衝撃吸収体を中心にして前記補助衝撃吸収体から放射状に延在するように設置されている、キャスク。
【請求項８】
請求項１〜７のいずれかに記載のキャスクにおいて、
前記主衝撃吸収体および前記補助衝撃吸収体は、カバープレートで覆われており、
前記主衝撃吸収体の先端部および前記補助衝撃吸収体の先端部のうちの少なくともいずれか一方は、面取りされており、
前記カバープレートのうち、前記主衝撃吸収体の先端部および前記補助衝撃吸収体の先端部のうちの面取りされた角部を覆う部分は、床面との衝突側から前記キャスク本体側へ向けて湾曲した形状とされており、且つ、前記角部との間に空間を有するように形成されている、キャスク。
【請求項９】
請求項１〜４のいずれかに記載の主衝撃吸収体と補助衝撃吸収体とを備える、キャスク用衝撃吸収体。
【請求項１０】
請求項９に記載のキャスク用衝撃吸収体において、
前記補助衝撃吸収体の周囲に設置される、当該補助衝撃吸収体が倒れることを防止する複数の補強部材をさらに備え、
複数の前記補強部材は、前記補助衝撃吸収体を中心にして前記補助衝撃吸収体から放射状に延在するように設置される、キャスク用衝撃吸収体。
【請求項１１】
請求項８〜１０のいずれかに記載のキャスクにおいて、
前記主衝撃吸収体および前記補助衝撃吸収体は、カバープレートで覆われており、
前記主衝撃吸収体の先端部および前記補助衝撃吸収体の先端部のうちの少なくともいずれか一方は、面取りされており、
前記カバープレートのうち、前記主衝撃吸収体の先端部および前記補助衝撃吸収体の先端部のうちの面取りされた角部を覆う部分は、床面との衝突側から前記キャスク本体側へ向けて湾曲した形状とされており、且つ、前記角部との間に空間を有するように形成されている、キャスク用衝撃吸収体。
【発明の詳細な説明】
【技術分野】
【０００１】
本発明は、放射性物質を収容して輸送・貯蔵するキャスク、およびキャスク用衝撃吸収体に関する。
【背景技術】
【０００２】
放射性物質、例えば使用済燃料は、例えば、原子力発電所内に設けられた冷却プールで、放射線の線源強度が一定レベル以下に低下するまで保管された後、除熱機能、密封機能、遮へい機能および未臨界維持機能を有するキャスクに収められ、燃料再処理施設或いは中間貯蔵施設等まで輸送される。キャスクは輸送時の万一の落下事故に備え、キャスクの中心軸が鉛直になる姿勢で落下する垂直落下、キャスクの中心軸が水平になる姿勢で落下する水平落下、そしてキャスクの中心軸がある角度をもつ姿勢で落下するコーナー落下などの様々な角度での落下に対しても、所定の除熱機能、密封機能、遮へい機能および未臨界維持機能を有することが要求されている。
【０００３】
そこで、輸送時には、通常、キャスク（キャスク本体）の上下端に衝撃吸収体を取り付け、万一の落下時の衝撃を十分に緩和させるという対応がとられている。
【０００４】
特許文献１〜３には、衝撃吸収体が取り付けられたキャスクが記載されている。ここで、特許文献１に記載のキャスク用緩衝構造体（衝撃吸収体）は、その内部が中空とされている。特許文献２に記載のキャスク用緩衝体（衝撃吸収体）は、その内部が中実とされている。また、特許文献３に記載のキャスク用緩衝体（衝撃吸収体）は、その中央部に外周部より高さの低い緩衝材が設置されている。
【先行技術文献】
【特許文献】
【０００５】
【特許文献１】特開２００９−１８６４２７号公報
【特許文献２】特開２０１２−１４１２４３号公報
【特許文献３】特開２００５−３２１３０４号公報
【発明の概要】
【発明が解決しようとする課題】
【０００６】
発明の概要を説明するに当たり、まず、内部収納物による遅れ落下衝撃という現象について説明する。キャスクが落下して床面に衝突する際、内部収納物（例えば使用済燃料など）による遅れ落下衝撃が起こる。キャスク本体とその内部収納物とは固定されていないため、キャスクが床面に衝突する際、キャスク本体と内部収納物とはばらばらの状態となっている。
【０００７】
ここで、一例としてキャスクの頭部（蓋側）からの垂直落下（頭部垂直落下）を想定する。前記したように、キャスク本体と内部収納物とがばらばらの状態であるため、頭部から垂直に落下したキャスク（衝撃吸収体）が床面と衝突した時、内部収納物は、キャスク本体よりも遅れて蓋に衝突する場合がある。これにより、キャスク本体とその内部収納物とが固定されていると仮定した場合に比べて、蓋に生じる衝撃加速度が大きくなる。このような現象を、内部収納物による遅れ落下衝撃と呼ぶ。
【０００８】
ここで、特許文献１に記載のキャスク用緩衝構造体では、その内部が中空とされているため、前記した内部収納物による遅れ落下衝撃により、蓋が大きく曲がってしまうことが懸念される。
【０００９】
特許文献２に記載のキャスク用緩衝体では、その内部が中実とされているため、内部収納物による遅れ落下衝撃に起因する蓋の曲げ変形は抑制されるが、衝撃力の受圧面積が大きいため衝撃加速度が大きくなってしまう。衝撃加速度を抑えるには、緩衝体（衝撃吸収体）の圧縮応力を非常に小さいものにすればよいのであるが、そうすると緩衝体の寸法が非常に大きなものとなってしまう。キャスクには、通常、緩衝体が取り付けられた状態で、軸方向長さおよび径方向寸法の制限値が設定されているので問題となる。
【００１０】
特許文献３に記載のキャスク用緩衝体では、その中央部に外周部より高さの低い緩衝材が設置されているため、特許文献２に記載の中実のキャスク用緩衝体よりも衝撃力の受圧面積が小さい、すなわち衝撃加速度はその分小さくなる。しかしながら、床面衝突時、中央部に設置された緩衝材により蓋が支持されないため、この緩衝材によって蓋の曲げ変形を十分に抑制することはできない。
【００１１】
本発明は、上記事情に鑑みてなされたものであって、その目的は、頭部垂直落下の際の衝撃加速度を著しく大きくすることなく、内部収納物による遅れ落下衝撃に起因する反力を支持することができる衝撃吸収体を備えるキャスクを提供することである。これを達成することにより、従来よりも蓋の曲げ変形を抑制することができ、蓋に生じる衝撃応力を小さくすることができる。
【課題を解決するための手段】
【００１２】
本発明は、放射性物質を収容する有底円筒形状のキャスク本体と、前記キャスク本体の上端部に設けられた開口を閉止する蓋体と、前記キャスク本体の上端部の周囲に取り付けられる環形状の主衝撃吸収体と、前記主衝撃吸収体の内側であって前記蓋体の上面に取り付けられる、前記主衝撃吸収体よりも潰れやすい柱形状または筒形状の補助衝撃吸収体と、を備えるキャスクである。前記補助衝撃吸収体は、キャスクがその頭部から垂直落下した際に、前記主衝撃吸収体とともに床面と衝突する高さ寸法とされている。ここで、潰れやすいとは、前記主衝撃吸収体、および補助衝撃吸収体に対して同じ変形量を与えるために必要な荷重が小さいということを意味する。
【００１３】
なお、キャスクがその頭部から垂直落下した際に、補助衝撃吸収体が主衝撃吸収体とともに床面と衝突する、というのは、主衝撃吸収体と補助衝撃吸収体とが同時に床面に衝突する場合のみをいうのではない。主衝撃吸収体が床面に衝突した後に少し遅れて補助衝撃吸収体が床面に衝突する場合、補助衝撃吸収体が床面に衝突した後に少し遅れて主衝撃吸収体が床面に衝突する場合のいずれをも含む。なお、その時間差は極僅かである。
【００１４】
また、本発明は、前記した特徴を有する主衝撃吸収体と補助衝撃吸収体とを少なくとも備えるキャスク用衝撃吸収体でもある。
【発明の効果】
【００１５】
本発明によれば、前記した補助衝撃吸収体により、頭部垂直落下の際の衝撃加速度を著しく大きくすることなく、内部収納物による遅れ落下衝撃に起因する反力を支持することができる。これにより、従来よりも蓋の曲げ変形を抑制することができ、衝撃力により蓋に生じる曲げ応力を小さくすることができる。
【図面の簡単な説明】
【００１６】
【図１】本発明の一実施形態に係るキャスクの側断面図である。
【図２】図１に示すキャスクの平断面図である（衝撃吸収体の図示は省略されている）。
【図３】図１のＡ部拡大図である。
【図４】木材の圧縮応力と変形量との関係を示すグラフである。
【図５】図１に示したキャスクの変形例を説明するための図３に相当する図である。
【図６】図１に示したキャスクの変形例を説明するための図３に相当する図である。
【発明を実施するための形態】
【００１７】
以下、本発明を実施するための形態について図面を参照しつつ説明する。
【００１８】
図１および図２に示すように、キャスク１００（放射性物質（例えば使用済燃料）の輸送貯蔵容器）は、有底円筒形状のキャスク本体１と、キャスク本体１の上端部に設けられた開口を閉止する蓋体（一次蓋２、二次蓋３、および三次蓋４）とを備えている。放射性物質（例えば使用済燃料）は、このキャスク本体１に収納される。キャスク本体１および蓋体（２、３、４）は金属製である。キャスク本体１の内部には、格子状に形成された金属製のバスケット９が配置されている。また、キャスク本体１の外周部には、ハンドリング用の複数のトラニオン８が取り付けられている。本実施形態のキャスク本体１の底板部は、円筒形状の側壁部と一体成形されている。なお、キャスク本体１の底板部と円筒形状の側壁部とをそれぞれ別に製作し、溶接などにより両者を接合してもよい。
【００１９】
キャスク１００輸送時には、キャスク本体１の上下端に、それぞれ衝撃吸収体５、６が取り付けられる。また、キャスク本体１の頭部側（上部側）であって、三次蓋４の上面には、衝撃吸収体５、７が取り付けられる。キャスク本体１の頭部側に取り付けられる衝撃吸収体５、７を、それぞれ、主衝撃吸収体５、補助衝撃吸収体７と区別して記載する。衝撃吸収体（５、６、７）は、本発明のキャスク用衝撃吸収体の一例である。
【００２０】
衝撃吸収体（５、６、７）は、キャスクの強度設計上、その許容変形量内で床面衝突時の衝撃加速度を極力抑えることが要求される。そのため、衝撃吸収体（５、６、７）の材料として、圧縮応力が収縮の初期から終了まで一定値を示すものが望ましく、木材が最も多く使用される。木材の種類としては、バルサ、レッドウッド、オーク、ファープライウッドなどが挙げられる。木材以外の材料としては、発砲ウレタンなどの発砲樹脂素材、発砲アルミニウムなどの発砲金属素材などがある。
【００２１】
衝撃吸収体（５、６、７）の衝撃吸収特性について、衝撃吸収体（５、６、７）の材料として木材を用いた場合を例にとり、図４を参照しつつ説明する。
【００２２】
キャスクには、事故時の評価事象として９ｍ落下試験がある。９ｍ落下による衝撃力を衝撃吸収体で吸収する設計がキャスクになされている。木材の圧縮応力−歪（変形量）特性は、一般的に図４のような特性である。
【００２３】
ここで、衝撃吸収体（木材）の変形量は、キャスクの９ｍ落下による位置エネルギー（Ｅ１）と衝撃吸収体（木材）の変形による衝撃吸収エネルギー（Ｅ２）がバランスするような変形量となる。衝撃吸収体の設計では、衝撃吸収によるその変形量がフラットな領域（図４に示す圧縮応力がほぼ一定の領域）で収まるようにするため、エネルギーのバランスからキャスクに生じる衝撃力（Ｆ）は、簡易的に式（１）のように表される。
【００２４】
Ｅ１＝ｍｇｈ
Ｅ２＝δσＡ
Ｅ１＝Ｅ２より、
Ｆ＝σＡ＝ｍｇｈ／δ  ・・・式（１）
Ｆ：キャスクに生じる衝撃力[Ｎ]
ｍ：キャスクの質量[ｋｇ]
Ａ：衝撃力の受圧面積（衝撃吸収体の受圧面積）[ｍ２]
σ：木材の圧縮応力[Ｎ／ｍ２]
δ：木材の変形量[ｍ]
ｈ：落下距離[ｍ]
ｇ：重力加速度[ｍ／ｓ２]
【００２５】
前記したように、衝撃吸収体の設計では、衝撃吸収によるその変形量がフラットな領域で収まるようにするため、木材の圧縮応力は、衝撃吸収体の設計変形領域ではほぼ一定である。そのため、床面衝突時の衝撃加速度（α）は、簡易的に式（２）のように表される。よって、キャスクに生じる衝撃加速度は、その衝撃力の受圧面積（Ａ）に比例しキャスクの質量（ｍ）に反比例するため、衝撃力（衝撃吸収体）の受圧面積を小さくする方が、キャスクに生じる衝撃加速度が小さくなり、キャスク内部に収納された使用済燃料などの放射性物質に与える損傷を小さくすることができる。
【００２６】
α＝Ｆ／ｍ＝σＡ／ｍ  ・・・式（２）
α：キャスクに生じる衝撃加速度[ｍ／ｓ２]
【００２７】
（主衝撃吸収体）
図１および図３を参照しつつ、主衝撃吸収体５、補助衝撃吸収体７およびその周辺の構成について説明する。なお、主衝撃吸収体５、補助衝撃吸収体７の材料は、例示として木材としている。
【００２８】
主衝撃吸収体５は、全体としてリング形状とされ、キャスク本体１の上端部の周囲に取り付けられる。より具体的には、リング形状の金属製プレート２３および円形の金属製プレート２２を介して、キャスク本体１の上端部の周囲に主衝撃吸収体５は取り付けられる。金属製プレート２２、２３の材質は例えば炭素鋼或いはステンレス鋼である。
【００２９】
ここで、主衝撃吸収体５の上端部（先端部）は、内側、外側とも面取りされている。内周側の面取り部に符号５ｂを付し、外周側の面取り部に符号５ａを付して図３に示している。主衝撃吸収体５の内周面には金属製のリブ２５（補強部材）が取り付けられている。リブ２５は金属製プレート２２に固定されている。リブ２５の材質は例えば炭素鋼或いはステンレス鋼である。
【００３０】
（補助衝撃吸収体）
主衝撃吸収体５の内側には補助衝撃吸収体７が配置されている。補助衝撃吸収体７は中実の柱形状とされている。なお、筒形状の補助衝撃吸収体７としてもよい。
【００３１】
補助衝撃吸収体７は、三次蓋４の中心に配置されている。また、補助衝撃吸収体７の軸方向と主衝撃吸収体５の軸方向とは同じ向きとされている。補助衝撃吸収体７の軸方向および主衝撃吸収体５の軸方向は、蓋体（２、３、４）に対して垂直とされている。また、各衝撃吸収体（５、６、７）の軸心、キャスク本体１の軸心、および各蓋体（２、３、４）の軸心は一致させられている。なお、補助衝撃吸収体７は、平面視において、三次蓋４（キャスク本体１）の中心に配置されていることが好ましいが、三次蓋４（キャスク本体１）の中心からずれて配置されていてもよい。
【００３２】
本実施形態においては、主衝撃吸収体５と補助衝撃吸収体７とは、いずれも同じ種類の木材（同じ材質）とされている。そして、補助衝撃吸収体７の軸方向に直交する断面の面積は、主衝撃吸収体５の軸方向に直交する断面の面積よりも十分に小さくされている。補助衝撃吸収体７の軸方向に直交する断面の面積が、主衝撃吸収体５の軸方向に直交する断面の面積よりも十分に小さくされていることで、補助衝撃吸収体７は主衝撃吸収体５よりも潰れやすい。換言すれば、衝撃力の受圧面積が、主衝撃吸収体５よりも補助衝撃吸収体７のほうが十分に小さいので、前記した式（２）より、頭部垂直落下の際のキャスクに生じる衝撃加速度は、主衝撃吸収体５だけの場合よりも著しく大きくならない。
なお、補助衝撃吸収体７の断面積を、主衝撃吸収体５の断面積よりもどの程度小さくするのかは、適宜、設計により決定される。ポイントは、主衝撃吸収体５と補助衝撃吸収体７とが同じ材質である場合に、補助衝撃吸収体７の断面積が主衝撃吸収体５の断面積よりも小さくされていることである。
【００３３】
ここで、補助衝撃吸収体７の上端部（先端部）は面取りされている。面取り部に符号７ａを付して図３に示している。前記した補助衝撃吸収体７の断面積とは、図３に例示すように、補助衝撃吸収体７のＢ−Ｂ断面の面積、すなわち、補助衝撃吸収体７の、面取りされていない主たる部位（衝撃吸収体の設計上の主たる部位）の断面積のことである。主衝撃吸収体５の断面積についても同様、主衝撃吸収体５の断面積とは、図３に例示すように、主衝撃吸収体５のＣ−Ｃ断面の面積、すなわち、主衝撃吸収体５の、面取りされていない主たる部位（衝撃吸収体の設計上の主たる部位）の断面積のことである。
【００３４】
ここで、主衝撃吸収体５との関係において補助衝撃吸収体７の断面積を図３に示した程度にまで小さくするのではなく、主衝撃吸収体５を構成する木材の圧縮応力よりも低い圧縮応力の木材で補助衝撃吸収体７を構成することにより、すなわち、補助衝撃吸収体７の材質を主衝撃吸収体５の材質よりも圧縮強度が小さい材質とすることで、主衝撃吸収体５よりも潰れやすい補助衝撃吸収体７としてもよい。圧縮応力が低いと、前記した式（２）より、頭部垂直落下の際のキャスクに生じる衝撃加速度は、主衝撃吸収体５だけの場合よりも著しく大きくならない。
【００３５】
補助衝撃吸収体７は、キャスクがその頭部から垂直落下した際に、主衝撃吸収体５とともに床面と衝突する高さ寸法Ｈとされる。本実施形態では、主衝撃吸収体５および補助衝撃吸収体７が、金属製プレート２２、２３を介してキャスクに取り付けられた状態において、補助衝撃吸収体７の先端レベルと、主衝撃吸収体５の先端レベルとがほぼ同一レベル（同一高さ）となるように、補助衝撃吸収体７の高さ寸法Ｈが決められている。
【００３６】
なお、補助衝撃吸収体７が主衝撃吸収体５とともに床面と衝突することを前提にして、補助衝撃吸収体７の先端を主衝撃吸収体５の先端よりもキャスク本体１から離れる方向に少し突出させておくことも好ましい。これにより、床面衝突時に瞬間的に生じる大きな衝撃加速度を緩和することができる。
【００３７】
なお、本願でいう床面とは、著名な国語辞書で出てくる、室内の板を張った所の面のみを言うものではない。例えば地面も本願でいう床面に相当する。すなわち、本願でいう床面とは、キャスク輸送時またはその取扱い時に、キャスクが落下し得る所の面のことをいう。
【００３８】
（カバープレート）
主衝撃吸収体５および補助衝撃吸収体７は、金属製のカバープレート１０で覆われている。カバープレート１０は、主衝撃吸収体５および補助衝撃吸収体７をまとめて覆うカバープレート１９と、主衝撃吸収体５の内周面を覆う筒形状のカバープレート２０と、補助衝撃吸収体７の外周面を覆う筒形状のカバープレート２１と、金属製プレート２２、２３とで構成されている。これら部材の材質は例えば炭素鋼或いはステンレス鋼である。
【００３９】
主衝撃吸収体５および補助衝撃吸収体７をカバープレート１０で覆うことにより、それぞれの衝撃吸収体（木材）の衝撃吸収性能が十分に発揮される。床面との衝突時、木材が潰れて飛散することをこのカバープレート１０で防止できるからである。
【００４０】
ここで、カバープレート１０のうち、主衝撃吸収体５の先端部のうちの面取りされた角部（面取り部５ａ）を覆う部分は、頭部垂直落下時の床面との衝突側からキャスク本体１側へ向けて湾曲しながら拡がる形状とされており、且つ、面取り部５ａとの間に空間を有するように形成されている。この部分を湾曲部１９ａとして図３に符号を付して記載している。
【００４１】
この構成によると、床面衝突の際、衝撃吸収体（５、７）の衝撃吸収性能を十分に発揮させることができるとともに、カバープレート１９がスムーズに座屈変形するため、床面衝突時に瞬間的に生じる大きな衝撃加速度をより緩和することができる。主衝撃吸収体５および補助衝撃吸収体７を覆うカバープレート１０の内部には空間があるので、火災試験において、キャスクの蓋体（２、３、４）部への入熱を抑制することができる、という効果もある。
【００４２】
なお、カバープレート１０のうち、カバープレート１９とカバープレート２０とで主衝撃吸収体５の面取り部５ｂを覆う部分を、座屈変形がスムーズとなるように湾曲部１９ａと同様の湾曲部とすることも好ましい。さらには、カバープレート１０のうち、カバープレート１９とカバープレート２１とで補助衝撃吸収体７の面取り部７ａを覆う部分を、座屈変形がスムーズとなるように湾曲部１９ａと同様の湾曲部とすることも好ましい。
【００４３】
また、本実施形態においては、カバープレート１０の内部空間が閉空間とならないよう、キャスク本体１側の金属製プレート２２には孔２２ａがあけられている。これにより、床面衝突または火災を想定した熱的試験の際、カバープレート１０内部の空気を外部に開放することができる。カバープレート１０の破裂を防止することができる。なお、金属製プレート２２と三次蓋４との間には空気が通過可能な隙間がある。
【００４４】
（蓋体）
キャスク本体１の開口を閉止する蓋体は、相互に重ねられる円形の複数の蓋体で構成される。本実施形態では、一次蓋２、二次蓋３、および三次蓋４で構成されている。各蓋体（２、３、４）は、それぞれ、ボルト１６、１７、１８でキャスク本体１に固定される。各蓋体（２、３、４）は、金属製である。なお、蓋体の枚数は、３枚に限定されるものではない。
【００４５】
一次蓋２と三次蓋４との間に配置される二次蓋３の内部には中性子遮蔽材１５が収容されている。中性子遮蔽材１５は、例えばエチレンプロピレン系ゴム、エポキシ樹脂、ポリエステル樹脂等である。
【００４６】
二次蓋３は、キャスク本体１側の蓋本体１１と、中性子遮蔽材１５のカバーとなる遮蔽材カバー蓋１２とを備えている。蓋本体１１と遮蔽材カバー蓋１２との間に形成される中性子遮蔽材１５が収容される領域には、円環形状の金属製のリブ１３が設置されている。なお、リブ１３の形状は円筒形状に限られるものではない。
【００４７】
ここで、リブ１３は、キャスクがその頭部から垂直落下した際に、キャスク本体１側から補助衝撃吸収体７へ、衝撃荷重（内部収納物による遅れ落下衝撃）を伝達させるための衝撃伝達部材であり、補助衝撃吸収体７の下方に配置されている。リブ１３の下端は、蓋本体１１の上面に溶接固定される。リブ１３の上端は、遮蔽材カバー蓋１２を貫通する態様で、遮蔽材カバー蓋１２の上方へ突出している。リブ１３の上端と三次蓋４の下面との間には極僅かな隙間がある。なお、リブ１３の上端と三次蓋４の下面とを当接させてもよい。
【００４８】
一次蓋２と二次蓋３との間の隙間Ｓ（空間）には、ヘリウムガスなどの不活性ガスが充填される。このガス圧力を監視することで、一次蓋２と二次蓋３との密封部に漏れがないことを確認できる。ここで、この隙間Ｓの両側に位置する蓋体（２、３）のうちの二次蓋３の蓋本体１１は、一次蓋２側に向かって凸の形状とされている。この部分を凸部１１ａとして図３に示している。凸部１１ａの平面視形状は例えば円形である。平面視において、凸部１１ａの中心と、キャスク本体１および補助衝撃吸収体７の中心とは一致させられている。
【００４９】
凸部１１ａは、キャスクがその頭部から垂直落下した際に、キャスク本体１側から補助衝撃吸収体７へ、衝撃荷重（内部収納物による遅れ落下衝撃）を伝達させるために設けられている。なお、二次蓋３にこのような凸部を設ける代わりに、一次蓋２の二次蓋３と対向する側の面に、二次蓋３側に凸な凸部を設けてもよい。
【００５０】
（実施例）
補助衝撃吸収体７がある場合とない場合とで頭部垂直落下時の解析を行い、蓋の構造強度に与える影響を比較検討した。
<解析条件>
キャスクの形状：図１〜図３に示したとおり
主衝撃吸収体５の内径：約φ１６００ｍｍ
主衝撃吸収体５の外径：約φ３５００ｍｍ
主衝撃吸収体５の軸方向長さ（最長部）：約１０００ｍｍ
補助衝撃吸収体７の外径：約３００ｍｍ
衝撃吸収体（５、７）の材質：レッドウッド
カバープレート１０の材質：ステンレス鋼
内部収納物による遅れ落下の衝撃加速度：約２００Ｇ
キャスク総重量：約１３２トン
【００５１】
解析結果を表１に示す。
【表１】
2014145674.tif 000003
余裕率＝（許容応力−発生応力）／許容応力
許容応力：各部材の許容応力
【００５２】
余裕率が負の値であるということは、構造的に設計が成立しないことを意味する。よって、本実施例では、補助衝撃吸収体７が無い場合、構造的に設計が成立しない。
【００５３】
（作用・効果）
本発明によると、主衝撃吸収体５よりも潰れやすい柱形状または筒形状の補助衝撃吸収体７を、主衝撃吸収体５の内側であって蓋体（例えば三次蓋４）の上面に取り付けることで、当該補助衝撃吸収体７により、頭部垂直落下の際の衝撃加速度を著しく大きくすることなく、内部収納物による遅れ落下衝撃に起因する反力を支持することができる。これにより、従来よりも蓋の曲げ変形を抑制することができ、衝撃により蓋に生じる曲げ応力を小さくすることができる。
【００５４】
ここで、主衝撃吸収体５の材質と補助衝撃吸収体７の材質とを同じにし、補助衝撃吸収体７の断面積を主衝撃吸収体５の断面積よりも小さくすることで、主衝撃吸収体５よりも潰れやすい補助衝撃吸収体７とすることが好ましい。１種類の材料で、主衝撃吸収体５および補助衝撃吸収体７を製造することができるので、衝撃吸収体の材料の管理が非常に行い易くなるからである。
【００５５】
また、補助衝撃吸収体７の先端部が面取りされていることも好ましい。これにより、床面衝突時に瞬間的に生じる大きな衝撃加速度を緩和することができる。補助衝撃吸収体７の先端部が面取りされていることで、補助衝撃吸収体７の先端部の断面積は、頭部垂直落下時の床面側からキャスク本体側に向けて徐々に大きくなる。床面衝突瞬間の衝撃力の受圧面積が小さいので、キャスクに生じる衝撃加速度は小さくなる。これにより、床面衝突時に瞬間的に生じる大きな衝撃加速度を緩和することができるのである。
【００５６】
また、キャスク本体の上端部の開口を閉止する、中性子遮蔽材が収容される蓋体に関し、キャスクがその頭部から垂直落下した際に、キャスク本体側から補助衝撃吸収体７へ衝撃荷重を伝達させるための衝撃伝達部材を内部に設置することで、内部収納物による遅れ落下衝撃を当該衝撃伝達部材により補助衝撃吸収体７へ逃がすことができ、蓋体の曲げ変形をより抑制することができる。
【００５７】
また、重ねられた蓋体同士の間に形成された隙間（空間）の両側に位置する蓋体のうちのいずれか一方に、キャスク本体側から補助衝撃吸収体７へ衝撃荷重を伝達させるための凸部を形成することで、上記と同様、内部収納物による遅れ落下衝撃を当該凸部により補助衝撃吸収体７へ逃がすことができ、蓋体の曲げ変形をより抑制することができる。
【００５８】
（変形例）
図５を参照しつつ、補助衝撃吸収体７部分の変形例について説明する。なお、図５においては、図１〜３に示した部材と同様の部材については同一の符号を付している（図６においても同様）。
【００５９】
図５に示したように、本変形例では、補助衝撃吸収体７の周囲に、補助衝撃吸収体７が倒れることを防止する複数のリブ２４（補強部材）を設置している。複数のリブ２４は、補助衝撃吸収体７を中心にして補助衝撃吸収体７から放射状に延在するように設置されている。リブ２４の形状は直角三角形とされ、直角部を挟む一辺は、補助衝撃吸収体７を覆うカバープレート２１に固定され、他辺は、金属製プレート２２に固定されている。
【００６０】
この構成によると、頭部垂直落下時の衝撃により、補助衝撃吸収体７が横方向に倒れることを防止できる。これにより、補助衝撃吸収体７の衝撃吸収性能を十分に発揮させることができる。
【００６１】
図６を参照しつつ、中性子遮蔽材が収容される蓋体の内部に設置される衝撃伝達部材としてのリブの変形例について説明する。図３に示したリブ１３と、図６に示したリブ１６とは、円環形状であるという点、補助衝撃吸収体７の下方に配置されているという点、で共通の構成を有する。本変形例では、リブ１６の上端を遮蔽材カバー蓋１２の下面に当接させている。
【符号の説明】
【００６２】
１：キャスク本体
２：一次蓋
３：二次蓋
４：三次蓋
５：主衝撃吸収体
６：衝撃吸収体
７：補助衝撃吸収体
８：トラニオン
９：バスケット
１０：カバープレート
１００：キャスク
【図１】
2014145674.tif 000004
【図２】
2014145674.tif 000005
【図３】
2014145674.tif 000006
【図４】
2014145674.tif 000007
【図５】
2014145674.tif 000008
【図６】
2014145674.tif 000009